(57)【要約】  インタラクティブプロジェクション洗濯機及び制御方法であって、開放／閉止可能な扉（２）が設けられ、扉（２）に変色可能表示領域（４）が設けられた本体（１）と、本体（１）及び／又は扉（２）に設けられ、洗濯機の操作表示メニューを変色可能表示領域（４）に投射表示する投影装置と、変色可能表示領域（４）の表面に設けられて操作表示メニューに対応するタッチ操作装置（５）と、投影装置及びタッチ操作装置（５）にそれぞれ電気的に接続される制御装置、を含む。制御装置は、タッチ操作装置（５）から出力されたユーザのタッチ制御信号を受信すると、投影装置が相応の内容を変色可能表示領域（４）に投射表示するよう制御する。本発明の洗濯機は、変色可能表示領域（４）内で直にタッチ操作を行うことが可能である。変色可能表示領域（４）は投影表示時には濃色となるため表示の明瞭度が向上するとともに、色を淡色又は透明に変更することも可能なため、ユーザが洗濯機内部の状況を観察するのにも都合がよい。【選択図】図１
2020520688.tif 000002
【特許請求の範囲】
【請求項１】
開放／閉止可能な扉が設けられ、前記扉に変色可能表示領域が設けられた本体と、
前記本体及び／又は前記扉に設けられ、洗濯機の操作表示メニューを前記変色可能表示領域に投射表示する投影装置と、
前記変色可能表示領域の表面に設けられて操作表示メニューに対応するタッチ操作装置と、
前記投影装置及び前記タッチ操作装置にそれぞれ電気的に接続される制御装置、を含み、
前記制御装置は、前記タッチ操作装置から出力されたユーザのタッチ制御信号を受信すると、前記投影装置が相応の内容を変色可能表示領域に投射表示するよう制御することを特徴とするインタラクティブプロジェクション洗濯機。
【請求項２】
前記変色可能表示領域には変色可能構造が設けられており、前記投影装置が前記変色可能表示領域に投射する場合、前記変色可能構造は濃色を表示して投影内容の明瞭度を向上させ、
洗濯機内部の洗浄槽の運転状況を観察したい場合には、前記変色可能構造が淡色を表示するか透明となることを特徴とする請求項１に記載のインタラクティブプロジェクション洗濯機。
【請求項３】
前記変色可能構造は、前記制御装置に電気的に接続されるエレクトロクロミック構造であり、前記扉の一部領域又は全領域に設けられ、前記投影装置が投射した光線を受信して相応の投影内容を表示可能であり、
好ましくは、前記エレクトロクロミック構造は導電性ガラス又は導電性フィルムであることを特徴とする請求項１又は２に記載のインタラクティブプロジェクション洗濯機。
【請求項４】
前記扉は全体が導電性ガラスから形成され、前記扉が全て変色可能表示領域となっており、前記タッチ操作装置が前記扉の外表面に設けられ、表示される操作表示メニューに対応しており、
好ましくは、前記変色可能表示領域には、前記投影装置をオンにするための投影トグルキーが設けられており、
より好ましくは、前記変色可能表示領域には、導電性ガラスが通電するよう触発するための導電トグルキーが更に設けられていることを特徴とする請求項３に記載のインタラクティブプロジェクション洗濯機。
【請求項５】
前記変色可能構造はフォトクロミック層であり、前記フォトクロミック層は前記変色可能表示領域を被覆しており、前記投影装置が前記変色可能表示領域に投射する場合、前記フォトクロミック層の色は濃くなり、前記投影装置が投射しない場合、前記フォトクロミック層は淡色又は透明に変化し、
好ましくは、洗濯機の扉には強化光源が設けられており、前記強化光源は前記フォトクロミック層に照射することで前記フォトクロミック層の変色効果を強化することを特徴とする請求項１又は２に記載のインタラクティブプロジェクション洗濯機。
【請求項６】
前記タッチ操作装置はタッチフィルム又はタッチパネルであり、前記変色可能表示領域の外表面に設置されるとともに、表示される操作表示メニューに対応して、前記操作表示メニューに対応する操作信号を受信し、
好ましくは、前記タッチフィルムの面積は前記変色可能表示領域の面積以下であり、前記変色可能表示領域の一部又は全てを被覆することを特徴とする請求項１〜５のいずれかに記載のインタラクティブプロジェクション洗濯機。
【請求項７】
前記扉は、洗濯機の天井部又は側部に位置し、前記扉は、透明可視部と不透明枠を含み、前記変色可能表示領域が前記透明可視部に設けられ、前記投影装置による投影時には、前記透明可視部が濃色となることを特徴とする請求項１〜６のいずれかに記載のインタラクティブプロジェクション洗濯機。
【請求項８】
前記投影装置と前記制御装置は、前記本体及び／又は前記扉の不透明枠に設けられ、
好ましくは、前記洗濯機はパルセータ洗濯機であり、前記投影装置が前記洗濯機のパネルベースに設けられ、前記制御装置が不透明枠に設けられるか、或いは、前記投影装置および前記制御装置がいずれも不透明枠に設けられ、
又は、前記洗濯機はドラム洗濯機であり、前記投影装置と前記制御装置が不透明枠及び／又は表面プレートに設けられることを特徴とする請求項７に記載のインタラクティブプロジェクション洗濯機。
【請求項９】
請求項１〜８のいずれかに記載のインタラクティブプロジェクション洗濯機の制御方法であって、
前記洗濯機は、前記扉が閉止されているか否かに基づいて、前記投影装置が操作表示メニューを前記変色可能表示領域に投射表示するよう制御するとともに、前記変色可能表示領域が濃色となるよう制御し、
次に、前記洗濯機は前記タッチ操作装置におけるユーザの操作信号を受信して、前記投影装置が相応の内容を調整及び投射表示するよう制御することを特徴とする方法。
【請求項１０】
前記洗濯機が、前記扉が閉止したか否かを判断し、
判断結果がＹＥＳの場合には、前記投影装置が操作表示メニューを前記変色可能表示領域に投射表示するよう制御するとともに、導電性ガラスが電断状態となるよう制御して前記変色可能表示領域を濃色とし、ユーザのタッチ操作に基づいて、前記投影装置が相応の内容を調整及び表示するよう制御するステップと、
前記洗濯機が、ユーザが一定時間操作していないと判断するか、導電トリガ信号を受信すると、前記投影装置をオフにするとともに、導電性ガラスが通電状態となるよう制御して導電性ガラスを透明状態とすることで、洗浄槽内の状態を観察しやすくするステップと、
判断結果がＮＯの場合には、前記投影装置がオフとなるよう制御するか、前記投影装置がその他の位置に投射表示するよう制御し、前記その他の位置には、少なくともパネルベースと洗剤ケースが含まれるステップ、を含むことを特徴とする請求項９に記載のインタラクティブプロジェクション洗濯機の制御方法。
【発明の詳細な説明】
【技術分野】
【０００１】
本発明は洗濯機の分野に属し、具体的には、インタラクティブプロジェクション洗濯機及び制御方法に関する。
【背景技術】
【０００２】
従来のパルセータ洗濯機又はドラム洗濯機には、インタラクティブプロジェクションによる表示方式を採用しており、ユーザエクスペリエンスを大いに高めている。現時点では赤外線センサによる検知方式でユーザの操作信号を収集するものが多く、この方式ではユーザの操作信号を素早く検知可能ではあるが、赤外線センサによる検知範囲に遮断物が存在しないことが求められる。遮断物により遮断された場合には検知信号が影響を受けるため、赤外線センサによる検知要求を満たすよう構造を大幅に変更できない機器の場合には、赤外線センサによる検知方式は最適とはいえない。また、ボタン方式を採用する場合には、表示領域が操作可能性を喪失する。
【０００３】
表示領域にタッチ操作装置を追加すれば、ユーザによるチェック及び操作が容易な表示領域に表示内容を表示可能となる。且つ、ユーザが表示領域でタッチ操作を行うと、ユーザの操作信号が収集及び分析されて、ユーザの操作行為が特定されるとともに、応答がなされる。一方、扉はユーザに直に面する洗濯機の外観部材であり、表示領域を設置可能である。扉が透明な場合、ユーザは洗濯機内部の運転状況を随時観察可能であるが、表示領域における表示内容の明瞭度は低下するため、ユーザが遠方から観察する際に支障をきたす。また、扉が不透明な場合には、表示領域における表示内容の明瞭度は高まるが、運転中に内部の状況を観察することはできない。そこで、本発明は、扉上の表示領域の明瞭度を向上可能としつつ、洗濯機内部の運転状況も随時観察可能な方案を提供する。
【０００４】
上記に鑑みて、本発明を提案する。
【発明の概要】
【発明が解決しようとする課題】
【０００５】
本発明は、従来技術における瑕疵を解消し、インタラクティブプロジェクション洗濯機を提供することを解決しようとする技術的課題とする。本発明のインタラクティブプロジェクション洗濯機によれば、ユーザは変色可能表示領域内において直にタッチ操作を行うことが可能である。且つ、変色可能表示領域は、投影時には濃色となるため表示内容の明瞭度を向上可能であるとともに、色を淡色又は透明に変更することも可能なため、ユーザが洗濯機内部の運転状況を随時観察するのにも都合がよい。
【課題を解決するための手段】
【０００６】
上記の技術的課題を解決すべく、本発明で採用する技術方案の基本思想について以下に述べる。
【０００７】
本発明の第１の目的は、開放／閉止可能な扉が設けられ、扉に変色可能表示領域が設けられた本体と、本体及び／又は扉に設けられ、洗濯機の操作表示メニューを変色可能表示領域に投射表示する投影装置と、変色可能表示領域の表面に設けられて操作表示メニューに対応するタッチ操作装置と、投影装置及びタッチ操作装置にそれぞれ電気的に接続される制御装置、を含み、制御装置は、タッチ操作装置から出力されたユーザのタッチ制御信号を受信すると、投影装置が相応の内容を変色可能表示領域に投射表示するよう制御するインタラクティブプロジェクション洗濯機を提供することである。
【０００８】
更なる方案として、前記変色可能表示領域には変色可能構造が設けられており、前記投影装置が変色可能表示領域に投射する場合、変色可能構造は濃色を表示して投影内容の明瞭度を向上させる。一方、洗濯機内部の洗浄槽の運転状況を観察したい場合には、変色可能構造が淡色を表示するか透明となる。
【０００９】
更なる方案として、前記変色可能構造は、制御装置に電気的に接続されるエレクトロクロミック構造であり、扉の一部領域又は全領域に設けられ、投影装置が投射した光線を受信して相応の投影内容を表示可能である。好ましくは、前記エレクトロクロミック構造は導電性ガラス又は導電性フィルムである。
【００１０】
更なる方案として、前記扉は全体が導電性ガラスから形成され、扉が全て変色可能表示領域となっている。タッチ操作装置は扉の外表面に設けられ、表示される操作表示メニューに対応している。
【００１１】
好ましくは、変色可能表示領域には、投影装置をオンにするための投影トグルキーが設けられている。より好ましくは、変色可能表示領域には、導電性ガラスが通電するよう触発するための導電トグルキーが更に設けられている。
【００１２】
更なる方案として、前記変色可能構造はフォトクロミック層である。前記フォトクロミック層は変色可能表示領域を被覆しており、投影装置が変色可能表示領域に投射する場合、フォトクロミック層の色は濃くなり、投影装置が投射しない場合、フォトクロミック層は淡色又は透明に変化する。好ましくは、洗濯機の扉には強化光源が設けられており、強化光源はフォトクロミック層に照射することでフォトクロミック層の変色効果を強化する。
【００１３】
更なる方案として、前記タッチ操作装置はタッチフィルム又はタッチパネルであり、変色可能表示領域の外表面に設置されるとともに、表示される操作表示メニューに対応して、操作表示メニューに対応する操作信号を受信する。好ましくは、前記タッチフィルムの面積は変色可能表示領域の面積以下であり、変色可能表示領域の一部又は全てを被覆する。
【００１４】
更なる方案として、前記扉は、洗濯機の天井部又は側部に位置し、扉は、透明可視部と不透明枠を含み、変色可能表示領域が透明可視部に設けられ、投影装置による投影時には、透明可視部が濃色となる。
【００１５】
更なる方案として、投影装置と制御装置は本体及び／又は扉の不透明枠に設けられる。  好ましくは、前記洗濯機はパルセータ洗濯機であり、投影装置が洗濯機のパネルベースに設けられ、制御装置が不透明枠に設けられる。或いは、投影装置と制御装置がいずれも不透明枠に設けられる。又は、前記洗濯機はドラム洗濯機であり、投影装置と制御装置が不透明枠及び／又は表面プレートに設けられる。
【００１６】
本発明の第２の目的は、上記インタラクティブプロジェクション洗濯機の制御方法を提供することである。当該制御方法では、前記洗濯機が、扉が閉止されているか否かに基づいて、投影装置が操作表示メニューを変色可能表示領域に投射表示するよう制御するとともに、変色可能表示領域が濃色となるよう制御する。次に、洗濯機はタッチ操作装置におけるユーザの操作信号を受信して、投影装置が相応の内容を調整及び投射表示するよう制御する。
【００１７】
更なる方案として、前記制御方法は、洗濯機が、扉が閉止したか否かを判断し、判断結果がＹＥＳの場合には、投影装置が操作表示メニューを変色可能表示領域に投射表示するよう制御するとともに、導電性ガラスが電断状態となるよう制御して変色可能表示領域を濃色とするステップと、洗濯機が、ユーザが一定時間操作していないと判断するか、導電トリガ信号を受信すると、投影装置をオフにするとともに、導電性ガラスが通電状態となるよう制御して導電性ガラスを透明状態とすることで、洗浄槽内の状態を観察しやすくするステップと、判断結果がＮＯの場合には、投影装置がオフとなるよう制御するか、投影装置がその他の位置に投射表示するよう制御し、前記その他の位置には少なくともパネルベースと洗剤ケースが含まれるステップ、を含む。
【発明の効果】
【００１８】
上記の技術方案を用いることで、本発明は従来技術と比較して以下の有益な効果を有する。
【００１９】
１．本願は、変色可能表示領域にタッチ操作装置を装着し、投影装置とタッチ操作装置を利用することで、洗濯機の操作表示メニューをユーザがチェック及び操作しやすい変色可能表示領域に表示可能としている。且つ、ユーザが変色可能表示領域のタッチ操作装置上で操作すると、制御装置はユーザの操作信号を検知して分析することで、ユーザの操作行為を特定して応答する。
【００２０】
２．本発明のインタラクティブプロジェクション洗濯機は投影表示方式を採用しており、タッチ操作装置を変色可能表示領域内に設けるとともに、変色可能表示領域内にエレクトロクロミック構造のような変色可能構造を追加している。変色可能表示領域内に表示される内容はタッチ操作装置の相応の位置に対応するため、ユーザによるタッチ操作が容易となり、正確且つ感度にも優れる。このほか、エレクトロクロミック構造は投影表示時に濃色となり、表示内容の明瞭度を大幅に向上させられるため、遠方からでもはっきりと表示内容を観察可能である。また、ユーザが槽内の状態をチェックしたい場合には、通電により透明に変化して良好な透明窓を提供可能なため、ユーザが洗濯機内部の運転状況を随時観察するのに都合がよい。
【００２１】
３．本発明における変色可能表示領域は複数存在し、各変色可能表示領域の表面にタッチ操作装置が設けられている。制御装置が、任意の変色可能表示領域に投影表示内容が投影されたと判断すると、対応するタッチ操作装置が通電して、ユーザのタッチ操作を受信し応答することが可能となる。一方、動作しない場合にはタッチ操作装置を電断する。そのため、必要に応じて異なる位置に表示し操作することが可能であるとともに、省エネも可能となる。
【００２２】
以下に、図面を組み合わせて本発明の具体的実施形態につき更に詳細に述べる。
【００２３】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２４】
【図１】図１は、本発明における天井部に扉が位置する洗濯機の構造を示す図である。
【図２】図２は、本発明における側部に扉が位置する洗濯機の構造を示す図である。
【図３】図３は、図２における洗濯機の天井部の構造を示す図である。
【図４】図４は、本発明における投影装置が変色可能表示領域に投射する際の原理を示す図である。
【図５】図５は、操作パネルを備えない洗濯機の立体構造を示す図である。
【発明を実施するための形態】
【００２５】
なお、これらの図面及び文字記載は何らかの方式で本発明の構想の範囲を制限するとの意図ではなく、特定の実施例を参照して当業者に本発明の概念を説明するためのものである。
【００２６】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【００２７】
本発明の記載において、「上」、「下」、「前」、「後」、「左」、「右」、「垂直」、「内」、「外」等の用語で示される方向又は位置関係は、図示に基づく方向又は位置関係であり、本発明の記載の便宜上及び記載の簡略化のためのものにすぎず、対象となる装置又は部材が特定の方向を有し、且つ特定の方向で構成及び操作されねばならないことを明示又は暗示するものではない。よって、本発明を制限するものと理解すべきではない。
【００２８】
本発明の記載において、別途明確に規定及び限定しない限り、「装着する」、「連なる」、「接続する」との用語は広義に解釈すべきである。例えば、固定接続であってもよいし、取り外し可能な接続であってもよいし、一体接続であってもよい。また、機械的な接続であってもよいし、電気的な接続であってもよい。更には、直接的な連なりであってもよいし、中間媒体を介した間接的な連なりであってもよい。当業者であれば、具体的状況に応じて本発明における上記用語の具体的意味を解釈可能である。
【実施例１】
【００２９】
図１〜図５に示すように、本実施例は、インタラクティブプロジェクション洗濯機を提供する。当該洗濯機は、開放／閉止可能な扉２が設けられ、扉２に変色可能表示領域４が設けられた本体１と、本体１及び／又は扉２に設けられ、洗濯機の操作表示メニューを変色可能表示領域４に投射表示する投影装置と、変色可能表示領域４の表面に設けられて操作表示メニューに対応するタッチ操作装置５と、投影装置及びタッチ操作装置５にそれぞれ電気的に接続される制御装置、を含む。制御装置は、タッチ操作装置５から出力されたユーザのタッチ制御信号を受信すると、投影装置が相応の内容を変色可能表示領域４に投射表示するよう制御する。
【００３０】
本実施例における洗濯機の本体１には衣類投入口が設けられており、扉２が衣類投入口を開閉するよう可動に本体１に設けられる。衣類投入口は本体１の天井部に設置してもよいし、本体１の側部に設置してもよい。即ち、洗濯機はパルセータ洗濯機であってもよいし、ドラム洗濯機であってもよい。一般的な洗濯機は衣類投入口が大きいため、これに対応する扉２の面積も大きくなる。加えて、扉２はユーザに直に面するものである。よって、ユーザによる観察及び／又は操作が容易となるよう、扉２は表示や操作領域の設置に適している。
【００３１】
扉２上の変色可能表示領域４は、条件の違いによって比較的濃い色と比較的薄い又は透明な色をそれぞれ表示可能であるとともに、条件に応じてこれらを可逆的に切り替え可能である。これにより、投影時には、変色可能表示領域４が比較的濃い色を表示するよう条件を制御することで表示内容の明瞭度を大幅に向上させられるため、ユーザは遠方からでもはっきりと表示内容を観察可能となる。且つ、ユーザが槽内の状態をチェックしたい場合には、変色可能表示領域４が比較的薄い色を表示するか透明となるよう条件を制御可能なため、ユーザが洗濯機内部の運転状況を随時観察するにも都合がよい。
【００３２】
更なる方案において、変色可能表示領域４には変色可能構造が設けられている。前記投影装置が変色可能表示領域４に投射する場合、変色可能構造は濃色を表示して投影内容の明瞭度を向上させる。一方、洗濯機内部の洗浄槽の運転状況を観察したい場合には、変色可能構造が淡色を表示するか透明となる。
【００３３】
変色可能構造は、エレクトロクロミック構造３としてもよいし、フォトクロミック構造としてもよいし、サーモクロミズム構造としてもよい。或いは、複数の変色メカニズムの構造を組み合わせて実現してもよい。いずれにしても、投影装置が変色可能構造に投射表示する場合、変色可能構造は比較的濃い色を表示する。好ましくは、表示の明瞭度が向上するよう黒色を表示する。また、投射表示を行わない場合や、洗濯機の洗浄槽内の運転状況をチェックしたい場合には、観察しやすいよう比較的薄い色を表示するか透明となる。
【００３４】
タッチ操作装置５の感知接点は、変色可能表示領域に投射される操作表示メニューに対応している。これにより、ユーザが対応するメニューをタッチしたときに相応の内容を表示可能となり、タッチ制御機能が実現される。タッチ操作装置５は、タッチ制御を実現可能であるとともに、変色可能表示領域が透明又は淡色となったあとに槽内の状況を観察する視線を邪魔しないタッチフィルム、タッチパネルといったデバイスとすればよい。
【００３５】
制御装置は、投影装置及びタッチ操作装置５に電気的に接続され、タッチ操作装置５におけるユーザのタッチ操作信号を受信すると、分析・判断した後に、投影装置が対応する操作メニュー又は表示内容を調整及び表示するよう制御可能である。これにより、ユーザによるタッチ操作が容易となり、正確且つ感度にも優れるため、ユーザエクスペリエンスを大幅に向上させられる。
【００３６】
本方案の洗濯機は、専用の制御パネル／操作パネルを必要とせず、その他のボタンやディスプレイを使用する必要もない。また、扉は投影表示及び操作機能を実現可能であり、可視性にいっそう優れ、操作がより容易であるとともに、洗濯機内部の運転状況を観察することも可能である。
【００３７】
更なる方案として、前記タッチ操作装置５はタッチフィルム又はタッチパネルであり、変色可能表示領域４の外表面に設置される。また、表示される操作表示メニューに対応しており、操作表示メニューに対応する操作信号を受信する。
【００３８】
タッチフィルムの面積は変色可能表示領域４の面積以下であり、変色可能表示領域４の一部又は全てを被覆する。タッチフィルムは、表示される操作表示メニューに対応して、操作表示メニューに対応する操作信号を受信可能であればよい。
【００３９】
更なる方案として、扉２は、洗濯機の天井部又は側部に位置する。また、扉２は、透明可視部と不透明枠を含み、変色可能表示領域４が透明可視部に設けられる。投影装置による投影時には、透明可視部が濃色となる。
【００４０】
本実施例の洗濯機は、パルセータ洗濯機のような天井開放型の洗濯機としてもよいし、ドラム洗濯機のような側面開放型の洗濯機としてもよい。また、従来の扉２における透明な観察窓を利用してもよいし、必要に応じて透明可視部を有する扉２を作製してもよい。変色可能表示領域４は透明可視部にのみ設けられるため、材料の節約となり、コストが抑えられる。
【００４１】
更なる方案として、投影装置と制御装置は本体１及び／又は扉２の不透明枠に設けられる。
【００４２】
好ましくは、前記洗濯機はパルセータ洗濯機であり、投影装置が洗濯機のパネルベースに設けられ、制御装置が不透明枠に設けられる。或いは、投影装置と制御装置がいずれも不透明枠に設けられる。
【００４３】
又は、前記洗濯機はドラム洗濯機であり、投影装置と制御装置が不透明枠及び／又は表面プレートに設けられる。
【００４４】
投影装置は洗濯機の内部に設けてもよいし、外部に設けてもよく、変色可能表示領域４に投射表示できればよい。本方案において、好ましくは、投影装置をパルセータ洗濯機のパネルベースに設け、制御装置を扉２の不透明枠に設けるか、これらをいずれも不透明枠に設ける。これにより、投影装置による投射距離を短縮可能となり、投射表示の明瞭度が更に向上してより良好な表示画面が形成されるため、ユーザエクスペリエンスが高まる。
【００４５】
制御方法：
洗濯機は、扉２が閉止されているか否かに基づいて、投影装置が操作表示メニューを変色可能表示領域に投射表示するよう制御するとともに、変色可能表示領域が濃色となるよう制御する。次に、洗濯機はタッチ操作装置５におけるユーザの操作信号を受信して、投影装置が相応の内容を調整及び投射表示するよう制御する。
【００４６】
洗濯機は、ユーザが一定時間操作していないと判断すると、投影装置を自動的にオフにするとともに、変色可能表示領域を比較的薄い色又は透明に変化させる。
【実施例２】
【００４７】
図１〜５に示すように、本実施例は実施例１を更に限定する。本実施例における洗濯機の扉２上の変色可能表示領域４には、エレクトロクロミック構造３が設けられている。前記変色可能構造は、制御装置に電気的に接続されるエレクトロクロミック構造３であり、扉２の一部領域又は全領域に設けられる。また、投影装置が投射した光線を受信して、相応の投影内容を表示可能である。
【００４８】
好ましい実施形態として、本方案のエレクトロクロミック構造３は、導電性ガラス又は導電性フィルム、或いはその他の実現可能なデバイスとすればよく、好ましい方案では濃色の導電性ガラスとする。導電性ガラスは、電断状態では濃色であり、通電状態で透明に変化可能である。
【００４９】
投影装置は、投射口が扉２のエレクトロクロミック構造３に面するように、本体１及び／又は扉２に装着される。投影装置が洗濯機の表示内容をエレクトロクロミック構造３に投射表示する際には、エレクトロクロミック構造３を電断状態とすることで表示内容の明瞭度を大幅に向上させられるため、遠方からでも表示内容をはっきりと観察可能である。また、ユーザが槽内の状態をチェックしたい場合には、エレクトロクロミック構造３を通電して透明に変化させれば良好な透明窓を提供可能なため、ユーザが洗濯機内部の運転状況を随時観察するのにも都合がよい。
【００５０】
更なる方案として、前記扉２は全体が導電性ガラスから形成され、扉２が全て変色可能表示領域４となっている。また、タッチ操作装置５が扉２の外表面に設けられ、表示される操作表示メニューに対応している。
【００５１】
扉２は全体が濃色の導電性ガラスから形成されるため、洗濯機の外観が美しく上品となり、落ち着いた品のある質感となる。また、扉２全体を表示領域とできるため、面積が大きく、表示効果に優れ、観察視野が良好となる。タッチフィルムは扉２を被覆可能である。且つ、タッチフィルムの感知接点は扉２に投射される表示内容に対応している。ユーザは衣類を投入して扉２を閉止すると、扉２に表示される操作メニューを視認して、ニーズに基づきプログラムを選択可能となる。
【００５２】
好ましい実施形態として、変色可能表示領域４には、投影装置をオンにするための投影トグルキーが設けられている。
【００５３】
投影装置は、洗濯機による各プログラムの実行中には、省エネのため一時的にオフにすることができる。ユーザは、洗濯機の操作表示メニューをチェックしたい場合、投影装置がオンとなるよう触発して表示させればよい。本方案では、この機能を実現可能なように、変色可能表示領域４におけるタッチフィルム又はタッチパネルの任意の位置に、投影装置をオンにするための投影トグルキーを設ければよい。洗濯機は、ユーザが一定時間操作していないと判断すると、投影装置を自動的にオフとする。ユーザは、表示を操作又はチェックしたい場合には投影トグルキーを触発する。すると、制御装置が操作信号を受信して、投影装置が再び投影表示を行うよう制御する。
【００５４】
投影トグルキーは手動のトグルキーに限らず、オートトリガセンサを設置してもよい。このセンサは赤外線センサとしてもよいし、距離センサとしてもよい。ユーザが所定の距離範囲内にいることを検知すると、その旨が自動的に制御装置にフィードバックされて、制御装置が投影装置により投影表示を行うよう制御する。また、ユーザが所定の距離範囲から離れたことを検知すると、その旨が自動的に制御装置にフィードバックされて、制御装置が投影装置をオフとするよう制御する。
【００５５】
他の好ましい実施形態として、変色可能表示領域４には、導電性ガラスが通電するよう触発するための導電トグルキーが更に設けられている。
【００５６】
制御装置は投影装置をオフにしたあと、導電性ガラスが通電するよう自動的に制御可能である。これにより扉２が透明状態となるため、洗濯機によるプログラム実行過程で洗浄槽内の運転状況を観察するのに都合がよい。このほか、投影装置が変色可能表示領域に投射表示しているときに、ユーザが洗濯機内部の状況をチェックしたい場合には、導電トグルキーを直接触発すれば導電性ガラスがすぐに通電して透明状態となる。
【００５７】
制御方法：
ユーザは衣類を投入して洗濯機の扉２を閉止する。洗濯機は扉２が閉止したか否かを判断し、判断結果がＹＥＳの場合には、投影装置が操作表示メニューを変色可能表示領域に投射表示するよう制御するとともに、導電性ガラスが電断状態となるよう制御する。これにより、変色可能表示領域が濃色となるため表示内容がより明瞭となる。
【００５８】
一方、洗濯機は、ユーザが一定時間操作していないと判断するか、導電トリガ信号を受信すると、投影装置をオフにするとともに、導電性ガラスが通電状態となるよう制御する。これにより、導電性ガラスが透明状態となるため、洗浄槽内の状態を観察しやすくなる。
【００５９】
また、判断結果がＮＯの場合には、投影装置がオフとなるよう制御するか、投影装置がその他の位置に投射表示するよう制御する。前記その他の位置には、少なくともパネルベースと洗剤ケースが含まれる。
【実施例３】
【００６０】
本実施例は実施例１を更に限定する。本実施例における扉２上の変色可能表示領域４は複数存在し、各変色可能表示領域４の表面にタッチ操作装置５が設けられている。制御装置は、投影装置が任意の変色可能表示領域４に投射したと判断すると、対応位置のタッチ操作装置５を通電させることで動作状態とする。これにより、ユーザのタッチ操作を受信して応答することが可能となる。
【００６１】
投影装置が任意の位置の変色可能表示領域４に投射すると、制御装置はこの位置の導電性フィルム又は導電性ガラスを電断するよう制御することで、表示の明瞭度を向上させる。且つ、その他の位置の導電性ガラス又は導電性フィルムについては通電するよう制御し、透明とすることで槽内の状況を観察可能とする。
【実施例４】
【００６２】
本実施例は実施例１を更に限定する。本実施例における扉２上の変色可能表示領域４には、変色可能構造が設けられている。前記変色可能構造はフォトクロミック層である。前記フォトクロミック層は変色可能表示領域４を被覆している。投影装置が変色可能表示領域４に投射する場合、フォトクロミック層の色は濃くなるが、投影装置が投射しない場合、フォトクロミック層は淡色又は透明に変化する。
【００６３】
フォトクロミック層はフォトクロミック材料から形成され、光が存在しない場合や光が弱い場合には比較的薄い色又は透明となるが、強い光が照射されると比較的濃い色となる。フォトクロミック層は、扉２の透明領域に付着するよう塗布することで変色可能表示領域４を形成する。投影装置がオンとなって扉２に投影すると、投影装置から強い光が照射されることで感光材料の色が濃くなるため、表示の明瞭度を向上させられる。一方、投影装置がオフとなり強い光が消失すると、変色可能表示領域は徐々に比較的薄い色又は透明に戻るため、内部の状況を観察しやすくなる。
【００６４】
好ましい実施形態として、洗濯機の扉２には強化光源が設けられている。強化光源はフォトクロミック層に照射することで、フォトクロミック層の変色効果を強化する。
【００６５】
強化光源は扉２に設けてもよいし、内部のパネルベースに設けてもよく、フォトクロミック層に向けて照射する。強化光源のオン・オフは、投影がオンの場合にフォトクロミック層がより濃い色となって表示の明瞭度が強化され、投射されていない場合にフォトクロミック層が比較的薄い色又は透明となるよう、投影装置と一致させる。
【００６６】
制御方法は、以下のステップを含む。
【００６７】
洗濯機は扉２が閉止したか否かを判断し、判断結果がＹＥＳの場合には、投影装置が操作表示メニューを変色可能表示領域に投射表示するよう制御するとともに、強化光源がオンとなるよう制御する。これにより、変色可能表示領域が濃色となるため、表示の明瞭度が強化される。
【００６８】
一方、洗濯機は、ユーザが一定時間操作していないと判断すると、投影装置をオフにするとともに、強化光源をオフとするよう制御する。これにより、変色可能表示領域が透明状態となるため、洗浄槽内の状態を観察しやすくなる。
【００６９】
また、判断結果がＮＯの場合には、投影装置がオフとなるよう制御するか、投影装置がその他の位置に投射表示するよう制御する。前記その他の位置には、少なくともパネルベースと洗剤ケースが含まれる。
【００７０】
上記実施例の方案は単独で実施してもよいし、組み合わせて実施してもよい。以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００７１】
１  本体
２  扉
３  エレクトロクロミック構造
４  変色可能表示領域
５  タッチ操作装置
【図１】
2020520688.tif 000003
【図２】
2020520688.tif 000004
【図３】
2020520688.tif 000005
【図４】
2020520688.tif 000006
【図５】
2020520688.tif 000007
【国際調査報告】
2020520688.tif 000008
2020520688.tif 000009
2020520688.tif 000010
2020520688.tif 000011